(57)【要約】  照明選択システム（１００）および方法は、複数の発光素子（１０２）の特性データを取得し、複数の発光素子（１０２）の各々について各発光素子（１０２）の特性データ（４００、１０００）の値と目標値との間の差を判定し、特性データと指定された目標値との差に基づいて、発光素子（１０２）を異なるグループと関連付ける。共通のグループにおける発光素子（１０２）の差は、他のグループにおける発光素子（１０２）の差よりも互いに近い。一実施形態では、発光素子（１０２）は、発光素子（１０２）によって生成される光の光束に基づいてグループ化され、次いで、発光素子（１０２）は、光の色と目標色との間の差に基づいてペアリングされる。本システムおよび方法はまた、照明装置（１００）に含めるために発光素子（１０２）のグループの少なくとも１つを選択することもできる。【選択図】図１
2019537190.tif 000002
【特許請求の範囲】
【請求項１】
方法であって、
複数の発光素子（１０２）のそれぞれについて個々の特性データ（４００）を取得するステップと、
前記発光素子（１０２）のそれぞれについて前記特性データ（４００）の値と指定された目標値との差を判定するステップと、
前記発光素子（１０２）を、前記特性データ（４００）の前記値と前記指定された目標値との前記差に基づいて異なるグループにグループ化するステップであって、前記グループの共通グループ内の前記発光素子（１０２）の前記差が、前記グループの他のグループ内の前記発光素子（１０２）の前記差より近い、ステップと、
照明装置（１００）に含めるために前記発光素子（１０２）の前記グループの少なくとも１つを選択するステップと、
を備える、方法。
【請求項２】
前記特性データ（４００）は、前記発光素子（１０２）によって放射される光の光束を表す、請求項１に記載の方法。
【請求項３】
前記特性データ（４００）は、前記発光素子（１０２）によって放射される光の色を表す、請求項１に記載の方法。
【請求項４】
前記発光素子（１０２）を前記異なるグループにグループ化するステップが、反対の値を有する前記差を有する前記発光素子（１０２）のペアを識別するステップと、同じグループ内の前記ペアのそれぞれに前記発光素子（１０２）を含むステップとを含む、請求項１に記載の方法。
【請求項５】
前記発光素子（１０２）を異なるグループにグループ化するステップが、前記グループのそれぞれについて、
前記特性データ（４００）の前記値と前記指定された目標値との前記差の第１の値を有する第１の発光素子（１０２）を識別するステップと、
前記第１の値の反対である前記差の第２の値を有する異なる第２の発光素子（１０２）を識別するステップと、
前記第１の発光素子（１０２）と前記第２の発光素子（１０２）とをグループ化するステップと
を含む、請求項４に記載の方法。
【請求項６】
前記特性データ（４００）の前記値が、前記発光素子（１０２）によって生成された光の色度座標を含み、前記発光素子（１０２）のそれぞれに対する前記差を判定するステップが、前記発光素子（１０２）によって生成された前記光に対する前記色度座標から、指定された目標色度座標への距離を判定するステップを含む、請求項１に記載の方法。
【請求項７】
前記発光素子（１０２）を異なるグループにグループ化するステップが、前記グループのそれぞれについて、
色度座標の第１のセットを有する第１の発光素子（１０２）を識別するステップであって、第１のベクトルが、前記指定された目標色度座標と前記第１のセット内の前記色度座標との間に伸びる、ステップと、
前記色度座標の第２のセットを有する異なる第２の発光素子（１０２）を識別するステップであって、第２のベクトルが、前記指定された目標色度座標と前記第２のセット内の前記色度座標との間に伸びる、ステップと、前記第１のベクトルおよび反対方向を有する前記第２のベクトルに応じて、前記第１の発光素子（１０２）と前記第２の発光素子（１０２）とをグループ化するステップと、
を含む、請求項６に記載の方法。
【請求項８】
前記発光素子（１０２）が、前記異なるグループにグループ化され、各グループ内の前記発光素子（１０２）によって生成される合成光の色点が、前記発光素子（１０２）の異なるグループよりも前記グループに対して指定された色点に近い、請求項１に記載の方法。
【請求項９】
前記発光素子（１０２）の前記グループのそれぞれについてグループ特性データ（１０００）を取得するステップと、
前記発光素子（１０２）の前記グループのそれぞれについての前記グループ特性データ（１０００）の値と前記指定された目標値との差を判定するステップと、
前記グループ特性データ（１０００）の前記値と前記指定された目標値との前記差に基づいて、前記発光素子（１０２）の前記グループを前記発光素子（１０２）のより大きなグループにグループ化するステップであって、前記照明装置（１００）に含めるために前記発光素子（１０２）の前記グループの前記少なくとも１つを選択するステップが、前記照明装置（１００）に含めるために前記発光素子（１０２）の前記より大きなグループの少なくとも１つを選択するステップを含む、ステップと、
をさらに備える、請求項１に記載の方法。
【請求項１０】
前記発光素子（１０２）が、発光ダイオード（１０２）である、請求項１に記載の方法。
【請求項１１】
システムであって、
複数の発光素子（１０２）のそれぞれについて個々の特性データ（４００）を取得し、前記発光素子（１０２）のそれぞれに対する前記特性データ（４００）の値と指定された目標値との差を判定するよう構成される、１つまたは複数のプロセッサを備え、前記１つまたは複数のプロセッサがまた、前記特性データ（４００）の前記値と前記指定された目標値との前記差に基づいて前記発光素子（１０２）の異なるグループを決定するよう構成され、前記グループの共通グループ内の前記発光素子（１０２）の前記差が、前記グループの他のグループ内の前記発光素子（１０２）の前記差より近い、
システム。
【請求項１２】
前記１つまたは複数のプロセッサが、照明装置（１００）に含めるための前記発光素子（１０２）の前記グループのうちの少なくとも１つの選択を表す出力信号を生成するよう構成される、請求項１１に記載のシステム。
【請求項１３】
前記特性データ（４００）は、前記発光素子（１０２）によって放射される光の光束を表す、請求項１１に記載のシステム。
【請求項１４】
前記特性データ（４００）は、前記発光素子（１０２）によって放射される光の色を表す、請求項１１に記載のシステム。
【請求項１５】
前記１つまたは複数のプロセッサが、反対の値を有する前記差を有する前記発光素子（１０２）のペアを識別し、同じグループ内の前記ペアのそれぞれに前記発光素子（１０２）を含むことによって、前記発光素子（１０２）の前記グループを決定するよう構成される、請求項１１に記載のシステム。
【請求項１６】
前記特性データ（４００）の前記値が前記発光素子（１０２）によって生成される光の色度座標を含み、前記１つまたは複数のプロセッサが、前記発光素子（１０２）によって生成された前記光の前記色度座標から指定された目標色度座標までの距離を判定することによって、前記発光素子（１０２）のそれぞれについての前記差を判定するよう構成される、請求項１１に記載のシステム。
【請求項１７】
前記１つまたは複数のプロセッサが、前記発光素子（１０２）を、前記異なるグループに関連付けるよう構成され、各グループ内の前記発光素子（１０２）によって生成される合成光の色点が、前記発光素子（１０２）の異なるグループよりも前記グループに対して指定された色点に近い、請求項１１に記載のシステム。
【請求項１８】
前記１つまたは複数のプロセッサが、前記発光素子（１０２）の前記グループのそれぞれについてグループ特性データ（１０００）を取得し、前記発光素子（１０２）の前記グループのそれぞれについて前記グループ特性データ（１０００）の値と前記指定された目標値との差を判定し、前記グループ特性データ（１０００）の前記値と前記指定された目標値との前記差に基づいて前記発光素子（１０２）のより大きなグループに前記発光素子（１０２）の前記グループを関連付けるよう構成される、請求項１１に記載のシステム。
【請求項１９】
方法であって、
複数の発光素子（１０２）の各々によって生成される光の色度座標および光束を判定するステップと、
前記発光素子（１０２）の各々について前記色度座標と指定された目標色の指定された色度座標との間の色度差を判定するステップと、
前記発光素子（１０２）の各々について前記光束と指定された光束との間の光束差を判定するステップと、
前記色度差および前記光束差に基づいて前記発光素子（１０２）をペアにグループ化するステップであって、各ペアは、他の発光素子（１０２）よりも互いに大きさが近いが方向が反対である、前記色度座標から前記指定された色度座標まで延伸するベクトルを有する前記発光素子を含む、グループ化するステップと、
照明装置に含めるために前記発光素子の前記ペアの少なくとも１つを選択するステップと
を含む、方法。
【請求項２０】
前記色度座標に基づいて前記発光素子（１０２）を色空間の異なる放射状グループに分割するステップをさらに含み、
前記発光素子（１０２）をグループ化するステップが、前記放射状グループの各々について、前記放射状グループ内の第１の発光素子（１０２）を、反対側の放射状グループ内の異なる第２の発光素子（１０２）とペアリングするステップを含み、前記色度座標と前記第１および第２の発光素子（１０２）の前記指定された色度座標との前記差が、前記放射状グループおよび前記反対側の放射状グループ内の他の発光素子（１０２）より近い、請求項１９に記載の方法。
【発明の詳細な説明】
【技術分野】
【０００１】
本明細書に開示される発明の主題の実施形態は、照明システムに含めるためのいくつかの発光素子の中から発光素子を選択するためのシステムおよび方法に関する。
【背景技術】
【０００２】
ランプなどの照明装置は、同時に光を生成するいくつかの発光ダイオードを含むことができる。製造時のばらつきのために、同じ照明装置内の２つの発光ダイオードが発する光が全く同じではない可能性がある。光の色度、光束、または他の特性は、同じ照明装置内の発光ダイオード間で変化する可能性がある。
【０００３】
現在、製造業者は、異なる発光ダイオードによって出力される光の特性を測定している。次いで、発光ダイオードは、セット内で互いに関連付けられ、各セットは、このセット内で発光ダイオードによって生成された光の特性の範囲に関連する。しかし、ダイオードがセットに含まれると、各セット内の個々の各発光ダイオードによって生成される光の特性を判定する方法は現在存在しない。結果的に、照明装置の製造業者は、照明装置に目標色を有する光を生成させる試みにおいて、１つまたは複数の異なるセットからいくつかの発光ダイオードを選択することができる。しかしながら、異なる発光ダイオードによって生成され得る光の特性の範囲のために、実際の光が目標色にどのくらい近いかは不明である。
【０００４】
したがって、同じ照明装置内の他の発光ダイオードと混合して目標色の光を生成しない発光ダイオードは、廃棄され、他の発光ダイオードと置き換えられる可能性がある。同じ照明装置に含めるべき発光ダイオードの適切な組み合わせを見つけることは、試行錯誤のプロセスであり、発光ダイオードの著しい無駄を招くであろう。
【先行技術文献】
【特許文献】
【０００５】
【特許文献１】国際公開第２０１５／１０５８９７号パンフレット
【発明の概要】
【０００６】
一実施形態では、方法（例えば、照明装置に含めるために発光素子を選択するための方法）は、複数の発光素子のそれぞれに対する個々の特性データを取得するステップと、発光素子のそれぞれについて特性データの値と指定された目標値との差を判定するステップと、発光素子を、特性データの値と指定された目標値との差に基づいて、異なるグループにグループ化するステップとを含む。グループの共通のグループにおける発光素子の差は、グループの他のグループにおける発光素子の差よりも互いに近い。この方法はまた、照明装置に含めるために発光素子のグループの少なくとも１つを選択するステップを含む。
【０００７】
別の実施形態では、システム（例えば、照明選択システム）は、複数の発光素子のそれぞれについて個々の特性データを取得し、発光素子のそれぞれについて特性データの値と指定された目標値との差を判定するよう構成される１つまたは複数のプロセッサを含む。１つまたは複数のプロセッサはまた、特性データの値と指定された目標値との差に基づいて、発光素子の異なるグループを決定するよう構成される。グループの共通のグループにおける発光素子の差は、グループの他のグループにおける発光素子の差よりも互いに近い。
【０００８】
別の実施形態では、方法（例えば、発光素子を選択するための方法）は、複数の発光ダイオードのそれぞれによって生成される光の色度座標を判定するステップと、発光ダイオードのそれぞれについて色度座標と指定された目標色の指定された色度座標との差を判定するステップと、差に基づいて発光ダイオードをペアにグループ化するステップと（各ペアは、他の発光ダイオードよりも互いに大きさが近いが方向が反対である、色度座標から指定された色度座標まで延びるベクトルを有する発光ダイオードを含む）、照明装置に含めるために発光素子のペアの少なくとも１つを選択するステップとを含む。
【０００９】
本明細書に記載される主題は、添付の図面を参照して以下の非限定的な実施形態の説明を読むことにより、よりよく理解されるであろう。
【図面の簡単な説明】
【００１０】
【図１】照明装置の一例を示す図である。
【図２】照明装置に含める発光素子を選択する方法の一実施形態のフローチャートである。
【図３】一実施形態による照明装置に含めるべき発光素子を選択する方法のフローチャートである。
【図４】一例による図１に示されたいくつかの発光素子の特性データを示す図である。
【図５】一例による図１に示されたペアリングされていない発光素子の特性データを示す図である。
【図６】一例による、図５に示す色空間における仮想ビンの数を減らした色空間の別の例を示す図である。
【図７】一例による、仮想ビンの数をさらに減らした色空間のさらなる例を示す図である。
【図８】一例による、仮想ビンの数をさらに減らした色空間のさらなる例を示す図である。
【図９】４つの仮想ビン（例えば、図８）を有する色空間からのペアリングされていない発光素子の特性データを示しており、特性データは２つの仮想ビンに分割されている。
【図１０】一例による発光素子のペアのグループ特性データを示す図である。
【図１１】一実施形態による照明選択システムの概略図である。
【図１２】一実施形態による、各々が異なるビンに分割されたいくつかの光束グループを示す図である。
【発明を実施するための形態】
【００１１】
本明細書に記載される発明の主題の実施形態は、異なる発光素子の個々の特性を検査し、特性に基づいて異なる発光素子をグループ化するシステムおよび方法を提供する。発光素子の特性と１つまたは複数の目標値との差を求め、これらの差に基づいて発光素子をグループ化する。本明細書で説明するように、一実施形態では、第１の発光素子は、第２の発光素子とペアになることができ、各発光素子の特性の目標値に対する差を組み合わせることにより、第１および第２の発光素子の組み合わせによって生成される光が、第１または第２の発光素子の別の発光素子との組み合わせよりも目標値に近い特性を有する。発光素子を最初にグループ化した後、グループ化された発光素子の特性を判定し、目標値と比較することができる。グループ化された発光素子の特性と目標値との差に基づいて、発光素子の異なるグループを組み合わせて同様の方法でより大きなグループを形成することができる。発光素子のより大きなグループは、発光素子の他の異なるグループよりも特性の目標値に近い特性を有することができる。
【００１２】
製造された多くの発光素子（本明細書ではＬＥＤとも称する）から、発光素子は、照明器具、設備、ランプなどの照明装置の構築に使用されるように選択される。発光素子の特性データ（例えば、順方向電圧、光束、色など）は、製造中に行われた測定に基づいて、またはデータの他のソースに基づいて、既知となる。本明細書に記載された選択処理は、照明装置の各々の色点が非常に似ている（例えば、設備間のばらつきが他の選択方法で発生する可能性のあるばらつきよりも少ない）ように各照明装置に対して発光素子を選択するために使用される。
【００１３】
一実施形態では、発光素子のペアの組み合わせ色点が、発光素子が含まれる照明装置の目標色点に非常に近くなるように、発光素子をペアにグループ化する。本明細書で説明する発明の主題のすべての実施形態を限定するものではない一例において、これは、色空間または他の空間（発光素子の特性および目標特性値を表す）に仮想ビンを作成することによって行うことができる。ビンは、全集団の色空間を多数の放射状セクションに分割することができる。対向するビン（例えば、１８０度で分けられた）内の発光素子がペアとなり、発光素子が、目標特性値（例えば、目標色点）から同じビン内の１つまたは複数の他の発光素子から最も遠いまたはより遠い色度を有する光を生成することから始まる。この処理は、いくつかの発光素子に対して繰り返される。次いで、仮想ビンの数を減らすことができ、このペアリング処理は、以前のペアリング処理ではペアにならなかった残りの発光素子をそのままにして繰り返すことができる。すべての発光素子がペアになる（または、奇数個のペアではない発光素子が残る）まで、ビン数再調整（ｒｅ−ｂｉｎｎｉｎｇ）およびペアリング処理を反復して繰り返すことができる。本処理は、仮想ビンと発光素子のペアにより生成される光の（例えば、色空間内の）距離とに基づき、発光素子のペアをペアリングすることなどによって、発光素子のペアを使用して繰り返すことができる。発光素子のペアのペアリングは、ペアリングされた発光素子のすべてのペアが組み合わされる、および／または発光素子のペアの残りが奇数個になるまで、ビンの数を反復的に減らす、および発光素子のペアをペアリングするなどによって繰り返すことができる。
【００１４】
本明細書に記載の主題の少なくとも１つの技術的効果は、他のペアまたはグループの発光素子が含まれる場合よりも目標または所望の値により近い特性を有する合成光を生成する発光素子のペアまたは他のグループを同じ照明装置に含めることである。発光素子は、この選択を示すデータをメモリに記憶することによって、照明装置またはペアもしくは他のグループに含めるための発光素子の選択を示すシステムの処理ユニットまたはプロセッサによって、本明細書に記載のシステムによって選択することができる（後述）。次に、このデータを（システムまたはプロセッサによって）調べて、いずれの発光素子を照明装置に含めるべきかを判断することができる。
【００１５】
図１は、照明装置１００の一例を示す。照明装置１００は、発光素子１０２を含むことができるデバイスの種類の一例として使用される。本明細書で説明するように、照明選択システムおよび方法を使用して、同じ照明装置１００に含めるために２つ以上の発光素子１０２を選択することができる。選択される発光素子１０２は、発光素子１０２の１つまたは複数の特性および／または発光素子１０２の組み合わせによって生成される光が、同じ照明装置１００内の発光素子１０２の異なる組み合わせよりも指定された目標値に近いように選択される。例えば、発光素子１０２の個々の発光素子によって放出される光の色度は、目標色度値と異なる値であってもよい。しかしながら、本明細書に記載の照明選択システムおよび方法の１つまたは複数の実施形態を使用して、発光素子１０２の組み合わせは、発光素子１０２の組み合わせによって生成された光が、個々の発光素子１０２単独、または異なる発光素子１０２の組み合わせのいずれか一方よりも指定されている目標色度値に近い色度値を有するように決定することができる。照明装置１００は、ランプまたは電球として示されているが、代わりに、２つ以上の発光素子１０２を含む１つまたは複数の他のタイプの照明装置を、本明細書に記載のシステムおよび方法に関連して使用することができる。さらに、本明細書での説明は、発光ダイオードである発光素子１０２に焦点を当てているが、代わりに他のタイプの発光素子を使用してもよい。
【００１６】
図２は、照明装置に含める発光素子を選択する方法２００の一実施形態のフローチャートを示す。方法２００は、同じ照明装置１００に含めるために、発光素子１０２のより大きなセットからの発光素子のサブセットを選択するために使用することができる。方法２００は、発光素子１０２のそれぞれによって生成された光の個々の特性データを判定し、各発光素子１０２に関連する特性データと特性データの指定された目標値との差を判定し、これらの差に基づいて発光素子１０２の２つ以上をグループ化することにより動作する。目標値との差に基づいて異なる発光素子１０２を組み合わせることにより、同じグループ内の発光素子１０２の合成出力は、発光素子１０２のグループによる光出力が、発光素子１０２の他の組み合わせよりも指定された目標値に近い結果となる。
【００１７】
２０２において、個々の発光素子１０２の特性データが決定される。決定された特性データは、発光素子１０２によって生成された光の特性を含むか、または表すことができる。例えば、特性データは、光の色度、光の光束、光の強度、光の分布または広がり、光の色相関温度などを表すことができる。任意選択的に、特性データは、発光素子１０２の特性を表すことができる。例えば、特性データは、発光素子１０２の順方向電圧、動作中の発光素子の温度などを表すことができる。決定された特性データは、発光素子１０２のそれぞれがそれ自身の特性データと関連付けられている点で、個別化された特性データと呼ぶことができる。発光素子のグループが、各個々の発光素子の特性データが既知ではない特性データを有する特性データの範囲と関連付けられる、何らかの既知の選択処理とは対照的に、個別化された特性データは、方法２００の一実施形態における選択処理の前に既知である。
【００１８】
２０４において、発光素子１０２の特性データと指定された目標値との差が判定される。一態様では、その差は、異なる発光素子１０２によって生成された光の色度と、指定された色度との差を表すことができる。任意選択的に、その差は、発光素子１０２の他の特性データと指定された目標値との間の数値差を表すことができる。例えば、発光素子１０２の順方向電圧と指定された順方向電圧との電圧差、異なる発光素子１０２によって生成された光の光束と指定された光束との差などを表すことができる。
【００１９】
２０６において、発光素子１０２は、個々の発光素子１０２の特性データと目標値との差に基づいてグループ化される。発光素子１０２は、リスト、テーブル、または他のメモリ構造などの同じグループの発光素子１０２を互いに関連付けることによって、または発光アセンブリ１０２を製造環境において互いに物理的に近接する同じグループに配置することによって、グループ化することができる。本明細書で説明するように、発光素子１０２は、グループ内の発光素子１０２の組み合わせが、個々の発光素子１０２単独および／または発光素子１０２の異なる組み合わせのいずれか一方よりも指定された目標値に近い特性データを有するよう、グループ化される。例えば、第１の発光素子１０２によって生成される光の色度と、指定された目標色度との第１の差、および異なる第２の発光素子１０２によって生成される光の色度と、同じ指定された目標色度との第２の差を使用して、第１の発光素子１０２および第２の発光素子１０２が（以下で説明するように）あるグループに組み合わされるべきであると判定することができる。第１および第２の発光素子１０２の合成光出力は、第１の発光素子１０２単独で生成した光、第２の発光素子１０２単独で発生した光、第１の発光素子１０２と、第２の発光素子１０２以外の発光素子１０２との組み合わせ、および／または第２の発光素子１０２と第１の発光素子１０２以外の発光素子１０２との組み合わせ、よりも指定された目標色度に近い特性（例えば、色度）を有することができる。
【００２０】
発光素子１０２のグループ化は、１回または複数回のさらなる回数、繰り返すことができる。例えば、個々の特性データに基づいて発光素子１０２を組み合わせる第１の反復の後、発光素子１０２のいくつかは、他の発光素子１０２のグループと関連していなくてもよい。以下で説明するように、１回または複数回のさらなるグループ化処理を実行して、以前に他の発光素子１０２とペアになっていない、またはグループ化されていない発光素子１０２の追加のものまたは残りのすべてのものをグループ化することができる。
【００２１】
２０８において、発光素子１０２の異なるグループの特性データが決定される。例えば、特性データは、グループまたはペアの特性データと呼ぶことができ、２０６で識別された発光素子１０２のグループのそれぞれについて決定することができる。このグループ特性データは、各グループの発光素子１０２の組み合わせによって生成される光の１つまたは複数の特性を表すことができる。任意選択的に、このグループ特性データは、発光素子１０２のグループの１つまたは複数の他の特性を表すことができる。グループ特性データには、例えば、各グループの発光素子１０２の合成光出力の色度、各グループの発光素子１０２の組み合わせによって生成される光の光束、各グループ内の発光素子１０２の合成順方向電圧などを含むことができる。
【００２２】
２１０において、発光素子１０２のグループのそれぞれのグループ特性データと特性データの指定された目標値との差が判定される。指定された目標値は、２０４および／または２０６に関連して使用される目標値に対して同じ値であってもよいし、または異なる値であってもよい。２１２において、グループ特性データと指定された目標値との差に基づいて、発光素子の異なるグループがより大きなグループに組み合わされる。例えば、発光素子１０２が２０６でペアにグループ化される場合、２１２で発光素子１０２の２ペアを組み合わせてより大きなグループにすることができる。
【００２３】
発光素子１０２の２つ以上のグループは、発光素子１０２のより大きなグループに組み合わせることができ、その結果、発光素子１０２のより大きなグループの特性データが、発光素子１０２の２つ以上のグループの異なるグループのグループ特性データよりも指定された目標値に近くなる。例えば、発光素子１０２の第１のペアと発光素子１０２の第２のペアとを１つのグループに組み合わせることは、発光素子１０２単独の第１のペアのグループ特性、発光素子１０２単独の第２のペアのグループ特性、発光素子１０２の第１のペアと第２のペア以外の発光素子１０２のペアとの組み合わせのグループ特性、および／または発光素子１０２の第２のペアと第１のペア以外の発光素子１０２のペアとの組み合わせ、よりも指定された目標値に近いグループ特性データを有する発光素子１０２の第１および第２のペアのグループにすることができる。
【００２４】
発光素子１０２のグループ化および／または発光素子１０２のペアまたはグループのグループ化は、任意選択的に、１回または複数回の追加の回数、繰り返すことができる。次いで、発光素子のグループのうちの１つまたは複数を、同じ照明装置１００に含めるために選択することができる。例えば、２１２で決定された発光素子のグループは、同じ照明装置１００に含むことができる。２１２で決定された発光素子１０２の別のグループは、別の異なる照明装置１００に含むことができ、以下同様である。照明装置１００内の光および／または発光素子１０２の特性データは、同じ照明装置１００内の発光素子１０２の別の組み合わせよりも指定された目標値に近い可能性がある。
【００２５】
図３は、一実施形態による照明装置に含まれるべき発光素子を選択する方法３００のフローチャートを示す。方法３００は、図２に関連して示し、上述した方法２００の１つのバージョンまたは実施形態を表すことができる。方法３００は、発光素子１０２の特性データとして色度に着目するが、任意選択的に、別のタイプの特性データまたは１つもしくは複数の追加タイプの特性データを検査することもできる。
【００２６】
３０２において、発光素子の個々の特性データが得られる。特性データは、個々の発光素子によって生成された光の色度を表すことができる。発光素子の製造におけるばらつきのために、異なる発光素子は、わずかに異なる色度を有する光を生成する可能性がある。
【００２７】
図４は、一例による図１に示されたいくつかの発光素子１０２の特性データ４００を示す。特性データ４００は、色空間内のドットまたは点として表され、特性データ４００の各ドットまたは点は、異なる発光素子１０２によって放射される光の色を表す。特性データ４００は、水平軸４０２および垂直軸４０４に沿って示される。水平軸４０２は、発光素子１０２によって生成された光のｕ’色度値と指定された目標色度値または座標のｕ’値との差を表す。垂直軸４０４は、発光素子１０２によって生成された光のｖ’色度値と指定された目標色度値または座標のｖ’値との差を表す。指定された目標色度値は、水平軸４０２に沿ってゼロの値にあり、垂直軸４０４のゼロの値に位置する。製造におけるばらつきおよび他の原因により、異なる発光素子１０２によって放出される光の色は、図４の目標色度値上ではなくその周りに特性データ４００が分布していることによって示されるように、目標色度値とはわずかに異なる。
【００２８】
図３に示す方法３００の説明に戻ると、３０４において、発光素子１０２の特性データを含む色空間内に仮想ビンが作成される。仮想ビンは、光の異なる色度値のセグメンテーションを表すことができる。仮想ビン４０６は、図４に示す色空間を目標の色度値の周りに放射状に分割する。別の実施形態では、仮想ビンは別の形状を有することができる。例えば、仮想ビンは、色空間の異なる部分を描く円または四角などを表すことができる。以下に説明するように、等しいまたは類似の大きさであるが反対方向の差を有する発光素子の特性データのペアリングを可能にするために、色空間を分割する仮想ビンの数は偶数とすることができる。
【００２９】
仮想ビンは、有形の入れ物を表すものではなく、発光素子１０２によって生成された光を配置することができる色空間の区画を表すことができる。図４では、１２個の仮想ビン４０６が作成されている。ビン４０６は、色空間の半径方向の区分またはセグメントを表し、各ビン４０６は、色空間の等しいが異なる部分を包含する。任意選択的に、１０個のビン、８個のビン、６個のビン、４個のビン、または２個のビンなどの別の数の仮想ビン４０６を作成することができる。一実施形態では、偶数の仮想ビン４０６が３０４で作成される。
【００３０】
３０６において、異なる発光素子の特性データと目標値との差が判定される。図４に示すように、発光素子１０２の特性データと指定された目標値との差は、差ベクトル４０８、４１０として表すことができる。差ベクトル４０８、４１０のサイズまたは長さは、発光素子１０２の特性データ４００と目標値との差の大きさを表す。差ベクトル４０８、４１０の向きは、発光素子１０２によって生成された光の特性データと目標値との間の方向を表すことができる。差ベクトル４０８、４１０は、特性データ４００から目標値まで伸びるように示されているが、任意選択的に、差ベクトル４０８、４１０は、目標値から特性データまで拡張することができる。
【００３１】
発光素子１０２は、発光素子を互いにペアリングするか、またはグループ化するために、順番に検査することができる。一実施形態では、方法３００は、別のビン内の発光素子を別のビン内のさらなる発光素子とペアリングまたはグループ化する前に、１つのビン内の発光素子１０２を検査し、これらの発光素子を別のビン内の他の発光素子とペアリングすることによって、反復的に進めることができる。代替的に、方法３００は、別の方法で進めてもよい。
【００３２】
３０８において、第１の発光素子１０２が検査のために選択される。例えば、ｉ番目のビン（ここで、ｉは、発光素子１０２が他の発光素子とのペアリングのために現在検査されているビンの番号を表す）において、発光素子１０２は、別の発光素子１０２とペアになるよう選択される。選択される発光素子１０２は、同じビン４０６内の１つまたは複数の（またはすべての）他の発光素子１０２よりも大きな差ベクトルまたは差４０８を有することができる。図４の図示の例では、ビン４０６Ａ内の発光素子１０２の特性データ４００Ａは、特性データ４００Ａが同じビン４０６Ａ内の他のすべての特性４００よりも目標値から遠いので、別の発光素子１０２とのペアリングのために選択される。代替的に、別の特性データ４００を有する発光素子１０２を、ペアリングのために選択してもよい。
【００３３】
３１０において、ペアになるよう検査されている発光素子の差と同じ大きさであるが反対方向の差を有する対向するまたは反対側のビンに別の発光素子があるかどうかについての判定が行われる。図４の例では、ビン４０６Ａと対向するかまたは反対のビン４０６Ｂ内の特性データ４００が検査されて、特性データ４００のいずれが、同じまたは類似の大きさであるが反対方向の差ベクトルを有するかが判定される。検査された特性データ４００は、別の発光素子１０２とペアになる発光素子１０２の特性データ４００Ａを含む、ビン４０６Ａから１８０°離れたビン４０８Ｂ内にある。異なるビン４０６内の特性データの差または差ベクトルは、差が０．５％、１％、２％、または５％などの互いに指定された閾値範囲内にある場合に、大きさにおいて類似する可能性がある。図示した例では、ビン４０６Ｂ内の特性データ４００Ｂは、特性データ４００Ａの差ベクトルまたは差４０８と大きさが等しいかまたは類似する目標値との差ベクトルまたは差４１０を有するものとして識別されるが、図４に示すように、差または差ベクトル４０８の方向と反対である。結果的に、特性データ４００Ｂは、特性データ４００Ａに関連する発光素子１０２とペアになる可能性がある発光素子１０２と関連付けられていると識別することができ、方法３００のフローは３１０から３１２に進むことができる。
【００３４】
３１２において、発光素子１０２は、ペアリングされる。例えば、特性データ４００Ａを有する第１の発光素子１０２は、特性データ４００Ｂを有する第２の発光素子１０２とペアとなる。これらの発光素子１０２は、発光素子１０２を必ずしも機械的に結合または接続することなく、これらの発光素子１０２が互いに関連付けられているという点でグループ化またはペアリングすることができる。方法３００のフローは、次いで、ステップ３１６に進むことができる。
【００３５】
３１０の説明に戻ると、差４０８と大きさが同じかまたは類似しているが方向が反対の目標値との差を有する特性データ４００Ｂに関連する第２の発光素子１０２が３１０で識別されない場合、方法３００のフローは３１４に進むことができる。例えば、ビン４０６Ｂ内の特性データ４００が、特性データ４００Ａと同じまたは類似であり、差または差ベクトル４０８Ａと反対方向の目標値との差または差ベクトルを有していない場合、特性データ４００Ａを有する発光素子１０２は、方法３００のこの段階で、別の発光素子１０２とペアリングされない、またはグループ化されない可能性がある。結果的に、方法３００のフローは３１４に進むことができる。
【００３６】
３１４において、第１の発光素子は、ペアではない発光素子１０２として識別またはラベル付けされる。例えば、発光素子１０２の特性データ４００Ａが差または差ベクトル４０８を有するが、大きさは同じまたは同様だが方向が反対の差または差ベクトルを有するビン４０６Ｂ内の特性データ４００を有する他の発光素子１０２が存在しない場合、特性データ４００Ａと関連する発光素子１０２は、ビン４０６Ｂ内の別の発光素子１０２とペアリングされない。本方法のフローは３１６に進むことができる
３１６において、現在検査されているビン内の残りの任意の特性データがまだペアリングのために検査されていないかどうかの判定が行われる。例えば、ビン４０６Ａに関して、ビン４０６Ａ内に位置する特性データ４００のすべてが調べられて、大きさが同じか同様であるが反対方向である目標値との差を有する反対ビン内に別の特性データ４００が存在するかどうかの判定が行われる。
【００３７】
特性データ４００のすべてがペアリングのために検査された場合、方法３００のフローは３２０に進むことができる。しかし、１つまたは複数のさらなる発光素子１０２が、検査中のビン内に特性データ４００を有し、発光素子１０２を別の発光素子とペアにするかどうかを決定するためにまだ検査されていない場合、方法４００のフローを３１８に進めることができる。
【００３８】
３１８において、現在検査中のビン内の異なる特性データが、ペアリングのために選択される。一実施形態では、方法３００は、目標値から次に遠い同じビン内の特性データ４００を選択することができる。例えば、方法３００は、特性データが目標値からどのくらい離れているかに基づいて発光素子を順にペアリングしようと試みることができ、目標値に対してより小さい差を有する特性データの前に特性データと目標値との差がより大きいものがペアリングのために検査される。代替的に、ペアリングのために検査される次の特性データは、別の方法または別の順序で選択することができる。
【００３９】
方法３００のフローは、３１０に戻り、上述したように、別の発光素子の特性データを検査し、この発光素子が別の発光素子とペアになることができるかどうかを判定することができる。方法３００は、ループ状に進行して、選択されたビン内の発光素子を、選択されたビン内の発光素子のすべて（または、少なくとも閾値）の特性データが検査されるまで、対向するビン内の発光素子とグループ化するか、ペアリングするかを判定することができる。代替的に、方法３００は、発光素子の特性データを、別の順序で、同じビン内の発光ダイオードの特性データのすべて（または、少なくとも閾値）の検査が完了する前にいくつかの異なるビンにわたって特性データを有する発光素子の特性データを検査することなどによって、検査することができる。
【００４０】
３２０において、ビンのすべて（または、少なくとも半分）の特性データのすべて（または、少なくとも閾値）が検査されたかどうかを判定する。特性データのすべてがビンのすべて（または、ビンの少なくとも半分）で検査されている場合は、本方法のフローは３２４に進むことができる。他方、１つまたは複数のビンで特性データが検査されていない場合には、本方法のフローは３２２に進むことができる。
【００４１】
３２２において、方法３００は、どのビンが特性データをペアリングしようとするのに使用されているかを切り替える。例えば、ビン４０６Ａ内の特性データ４００が調べられて、特性データ４００に関連する発光素子１０２を別の発光素子１０２とペアにするかどうかを判定する（または、ペアリングされていない発光素子として発光素子１０２にラベル付けする）と、方法３００は、別のビン４０６内の特性データ４００を検査開始することができる。次いで、方法３００のフローは、３０８に戻ることができる。３０８に関連して上述したように、検査中の新しいビン内の第１の発光素子を選択することができる。方法３００は、ループ状に進行して、そのビン内のすべての特性データ（または、少なくとも閾値までの特性データ）が発光素子１０２とペアリングされたかどうか、またはペアリングされていない発光素子として発光素子１０２を識別したかどうかを判定するよう検査されるまで、検査中の新たなビン内の特性データを検査することができる。
【００４２】
３２４において、ビン内の発光素子が検査されると、色空間内のビンの数を減らすことができるかどうかの判定が行われる。例えば、いくつかのペアリングされていない発光素子が残っていて、（例えば、仮想ビンの数を２以上の偶数に保つことによって）以前のペアリング処理で使用された色空間内の仮想ビンの数を減らすことができる場合、仮想ビンの数を減らして、ペアリングされていない発光素子のペアリングを試みることができる。結果的に、方法３００のフローは３２６に進むことができる。
【００４３】
３２６において、特性データに基づいて色空間を分割し発光素子を互いにペアリングするために使用される仮想ビンの数が減らされる。例えば、他の発光素子とペアになっている発光素子１０２の図４に示す特性データ４００を色空間から除去することができる。ペアリングされてない発光素子の特性データは、色空間に残ることができる。ペアリングされてない発光素子の特性データを含む色空間は、次いで、３０４に関連して上述したように、仮想ビンに分割することができる。しかしながら、１つの相違点は、ペアリングされていない発光素子の特性データ４００に対して色空間を分割するビンの数を減らすことができることである。例えば、色空間を分割するために１２個の仮想ビン４０６を使用する代わりに、１０個の仮想ビン（または別の数の仮想ビン）を用いて色空間を分割することができる。
【００４４】
図３に示す方法３００を引き続き参照すると、図５は、一例による図１に示すペアリングされていない発光素子１０２の特性データ４００を示す。ペアリングされていない発光素子１０２の特性データ４００は、図５において、上述の水平軸４０２および垂直軸４０４に沿って示されている。図５に示す色空間は仮想ビン５０６に分割され、図５の例では１０個の仮想ビン５０６が使用されている。代替的に、図５に示す色空間は、８、６、４、または２つの仮想ビン５０６などの別の数の仮想ビン５０６に分割することができる。
【００４５】
仮想ビンの数が減少すると、方法３００のフローは３０８に戻ることができる。例えば、数を減らされたビンのうちの選択されたビン（例えば、ｉ番目のビン）内の特性データ４００を有する第１の発光ダイオードが、その発光素子が反対側のビン内の別の発光素子とペアになることができるかどうかを判定するために選択され得る。次いで、本方法のフローを１つまたは複数のループで繰り返して、ビン５０６内の発光素子１０２の特性データ４００を検査して、異なる発光素子１０２が他の発光素子１０２とペアになることができるかどうか、および／または発光素子１０２の一部がペアリングされていない発光素子１０２であるかどうかを判定することができる。数が減ったビン内の特性データ４００を検査した後、方法３００のフローは、ビン数を減らすことができるかどうかを判定するために３２４に戻ることができる。図５の図示の例では、ビン５０６の数は、例えば、８ビンに減らすことができる。結果的に、方法３００のフローは、ビンの数を（例えば、８ビンに）減らす、３２６に進むことができる。次いで、方法３００は、３０８に戻り、ループ状に進行して、発光素子１０２の特性データ４００を検査し、数を減らされたビン５０６のどの素子１０２が他の発光素子１０２とペアリングすることができるか、およびどの発光素子１０２がペアリングされていない素子１０２であるかを判定することができる。
【００４６】
図６は、一例による図５に示す、色空間に関して仮想ビンの数が減らされた色空間の別の例を示す。図７および図８は、一例による、仮想ビンの数をさらに減らした色空間のさらなる例を示す。ビンの数は、特性データを調べ、どの発光素子が他の発光素子とペアになることができるかを判定し、どの発光素子がペアリングされていない素子であるかを判定した後に減らすことができる。ビンの数は、特性データの以前の検査からペアリングされていない発光素子について減らすことができ、処理は、数を減らされたビンを用いて繰り返すことができる。図６は、１０の仮想ビン（例えば、図５）を有する色空間からのペアリングされていない発光素子の特性データ４００を示しており、特性データは８つの仮想ビン６０６に分割されている。図７は、８つの仮想ビン（例えば、図６）を有する色空間からのペアリングされていない発光素子の特性データ４００を示しており、特性データは６つの仮想ビン７０６に分割されている。図８は、６つの仮想ビン（例えば、図７）を有する色空間からのペアリングされていない発光素子の特性データを示しており、特性データは４つの仮想ビン８０６に分割されている。図９は、４つの仮想ビン（例えば、図８）を有する色空間からのペアリングされていない発光素子の特性データ４００を示しており、特性データは２つの仮想ビン９０６に分割されている。図９の仮想ビン９０６の数は、色空間を水平軸に沿って、または水平軸４０２に平行に分割するが、代替的に、仮想ビン９０６は、垂直軸４０４と平行であるかまたは同一の方向に、または別の（例えば、水平軸４０２および垂直軸４０４の両方を横断する）方向に、色空間を分割することができる。
【００４７】
図３に示す方法３００の説明に戻ると、仮想ビンの数をさらに減らすことができない場合（例えば、仮想ビンの数が２である場合）、方法３００のフローは、３２４から３２８に進むことができる。３２８において、残りの発光ダイオードの特性データと目標値との差に基づいて、残りの発光素子をペアリングする。例えば、次いで、図９に示す仮想ビン９０６によって分岐された色空間内の特性データ４００は、特性データの目標値に対する距離の大きさに基づいてペアリングすることができる。一実施形態では、仮想ビン９０６のうちの１つの中で目標値から最も遠い特性データを有する発光ダイオードは、特性データ４００の差ベクトルの目標値に対する方向が互いに反対であるかどうかに関わらず、その仮想ビン９０６内の目標値からも最も遠い他の仮想ビン９０６内の特性データ４００を有する発光素子とペアリングされる。次に、方法３００は、すべての発光素子がペアになるか、発光素子１０２の奇数個（例えば、１個）がペアリングされていない状態になるまで、１つの仮想ビン９０６内の目標値から次に遠い特性データ４００を有する発光素子１０２を、他の仮想ビン９０６内の目標値から次に遠い特性データ４００を有する発光素子１０２とペアにすることができる。
【００４８】
３３０において、グループ特性データは、発光素子１０２の異なるグループまたはペアのそれぞれについて決定される。グループ特性データは、発光素子の各ペアにおける発光素子の組み合わせの特性データを表す。例えば、方法３００に関連して上述したように発光素子１０２をペアリングまたはグループ化した後、発光素子のペアまたはグループのそれぞれについての特性データを決定することができる。一例では、発光素子のペアの各々における発光素子の組み合わせによって生成された光が、光の色度、光束、または他の特性を決定するために検査または測定される。任意選択的に、ペア内の発光素子の合成順方向電圧は、方法３００で以前に決定された発光素子のペアの各々に対するペア内の発光素子の特性データとして決定することができる。
【００４９】
３３２において、次いで、発光素子の異なるペアまたはグループの特性データを検査して、どの発光素子のペアが、発光素子のより大きなグループ（またはペアのペア）に組み合わせることができるかを判定し、および、発光素子のどのペアがペアリングされていない発光素子であるかを判定することができる。
【００５０】
図１０は、一例による発光素子１０２のペアのグループ特性データ１０００を示す。特性データ１０００は、方法３００によって以前に決定された各ペアまたはグループ内の発光素子１０２の合成特性データを表す。図１０に示すように、既に発光素子がペアになっているため、発光素子１０２のペアの組み合わせ出力は、（図４と図１０の比較によって示されるように）個々の発光素子１０２の特性データ４００よりも目標値に近い特性データ１０００を有する。
【００５１】
次いで、発光素子１０２のペアの特性データ１０００を、発光素子１０２のペアをペアリングするために上記と同様の方法で使用することができる。例えば、図１０に示す色空間は、偶数個の仮想ビン１００６に分割することができる。図１０には１２個のビン１００６が示されているが、別の数を使用してもよい。個々の発光素子１０２に関して上述したのと同様に、選択されたビン１００６内の発光素子１０２のペアの特性データ１０００を検査して、特性データ１０００と目標値との差（例えば、大きさおよび方向）を決定することができる。発光素子１０２の別のペアが、同じまたは類似の大きさであるが反対方向の反対側のビン１００６内に特性データ１０００を有する場合、発光素子１０２の２つのペアは、発光素子１０２のより大きなグループに組み合わせることができる。
【００５２】
方法３００は、ループ状に進行して、発光素子１０２のペアの特性データ１０００を検査して、発光素子１０２のどのペアを発光素子１０２の他のペアとグループ化することができるか、および発光素子１０２のどのペアが発光素子１０２の他のペアとペアになっていないかを決定することができる。色空間は、上述のように、より少数の仮想ビンに分割することができ、ペアリング処理を繰り返すことができる。方法３００は、目標値との差に基づいて発光素子のペアをペアリングして、発光素子のすべてのペアが発光素子の別のペアとグループ化されるか、または発光素子１０２の残りのペアの数が奇数（例えば、１つ）になるまで、色空間内のビンの数を減らすことによって繰り返すことができる。次いで、方法３００は、発光素子のペアリングされたペアの識別されたグループで終了することができる。代替的に、方法３００は、ペアリングされた発光素子１０２の各ペア内の４つの発光素子１０２を４つの発光素子１０２の他のグループとさらにグループ化することを１回または複数回さらに繰り返すことができる。方法３００は、発光素子の各グループ内にある発光素子の数を増やすために繰り返すことができる。
【００５３】
次いで、発光素子１０２のグループを使用して、どの発光素子１０２が異なる照明装置１００に含まれるかを判定することができる。特性データと目標値との差に基づいて発光素子１０２がペアリングされているため、グループ内の組み合わされた発光素子１０２の特性データは、発光素子がランダムに選択された場合または発光素子１０２の異なる組み合わせが同じ発光素子１０２で使用された場合よりも目標値に近くなる。
【００５４】
上述したように、発光素子１０２をペアリングまたはグループ化するために調べることができる特性データは、発光素子１０２によって生成される光束を含むことができる。光の光束は、生成された光のパワーまたは生成された光の知覚されるパワーの測定値であるか、またはそれらを表すことができる。光束は、光の電磁放射の総パワーの測定値であり得、この測定値は、異なる波長の光に対する人間の目の変動する感度に基づいて調整される。代替的に、調べられる特性データは、放射測定パワー、または他の何らかの強度測度であってもよい。光束と光の色を表す特性データの両方を調べて、異なる発光素子１０２を互いにビニングおよびペアリングすることができる。
【００５５】
図１２は、一実施形態による、各々が異なるビン１２０６に分割されたいくつかの光束グループ１２００、１２０２、１２０４を示す。各光束グループ１２００、１２０２、１２０４は、いくつかの発光素子１０２によって生成された光の異なる範囲の光束についての、色空間におけるｕ’、ｖ’色度値の範囲を表す。いくつかの発光素子１０２（図１に示す）の特性データ４００は、異なる色空間内のドットまたは点として表され、特性データ４００の各ドットまたは点は、上記と同様に、異なる発光素子１０２によって放射される光の色を表す。
【００５６】
発光素子１０２は、発光素子１０２によって生成される光の光束に基づいて、異なる光束グループ１２００、１２０２、１２０４にグループ化または関連付けられる。例えば、光束グループ１２００内の特性データ４００によって表される発光素子１０２によって生成される光は、第１の光束範囲内に入る光束の範囲を有する光であり得、光束グループ１２０２内の特性データ４００によって表される発光素子１０２によって生成される光は、異なる第２の光束範囲内に入る光束の範囲を有する光であり得、光束グループ１２０４内の特性データ４００によって表される発光素子１０２によって生成される光は、異なる第３の光束範囲内に入る光束の範囲を有する光であり得る。一実施形態では、異なる光束グループ１２００、１２０２、１２０４に関連する光束の範囲は重ならない範囲であり得る。例えば、第１の光束グループ１２００の特性データ４００によって表される光は４９００ルーメン以下の光束を有し得、第２の光束グループ１２０２の特性データ４００によって表される光は４９００ルーメンよりも大きく６８００ルーメン未満の光束を有し得、第３の光束グループ１２０４の特性データ４００によって表される光は６８００ルーメン以上の光束を有し得る。光束グループまたは範囲の数は、図１２に示されるものと異なってもよく、かつ／または、異なる光束グループを定義するために使用される光束の範囲は、上で提供された例とは異なってもよい。
【００５７】
上述のように、仮想ビン１２０６は、異なる光束グループ１２００、１２０２、１２０４の色空間に作成することができる。仮想ビン１２０６は、各グループ１２００、１２０２、１２０４内でＡ〜Ｆとラベル付けされている。仮想ビン１２０６は、光の異なる色度値のセグメンテーションを表すことができる。仮想ビン１２０６は、目標色度値の周りで色空間をグループ１２００、１２０２、１２０４に分割する。異なる光束グループ１２００、１２０２、１２０４内および各グループ１２００、１２０２、１２０４内の異なるビン１２０６内の光の特性データ４００の位置は、発光素子１０２をペアリングするために使用することができる。異なるグループ１２００、１２０２、１２０４内の特性データ４００を有する発光素子１０２がともにペアリングされ得、同じグループ１２００、１２０２または１２０４内の特性データ４００を有する発光素子１０２がともにペアリングされ得る。
【００５８】
例えば、グループ１２０４のビンＡ内の特性データ４００を有する第１の発光素子１０２を、グループ１２００のビンＤ内の特性データを有する第２の発光素子１０２とペアリングすることができる。異なるグループ１２００、１２０４内の特性データ４００を有する第１の発光素子および第２の発光素子１０２は、これらのグループ１２００、１２０４に関連する光束を組み合わせることによって、グループ１２００のみまたはグループ１２０４のみの特性データ４００を有する発光素子１０２をペアリングするよりも、目標光束（例えば、グループ１２０２の光束範囲またはグループ１２０２の範囲内の光束）に近い合成光束がもたらされるため、ペアリングすることができる。上述したように、それぞれグループ１２０４、１２００のビンＡおよびＤ内の特性データ４００を有する第１の発光素子および第２の発光素子１０２は、ペアリングされた第１の発光素子および第２の発光素子１０２によって生成される光の合成色が、他の発光素子１０２を組み合わせるよりも目標色値に近くなり得るように、ペアリングすることができる。以下の表は、異なるグループ１２００、１２０２、１２０４の特性データ４００を有する発光素子１０２のペアリングの一例を列挙している。
【００５９】
【表１】
2019537190.tif 000003
上の表のペアリング１〜９の各々においてペアリングされる発光素子１０２は、上記のように、発光素子１０２の特性データ４００の色度値と目標色度または色値１２０８との間の差に基づいてペアリングされ得る。例えば、目標値１２０８から（グループ１２０４のビンＡ内で）最も遠い色度値または座標を有する光を生成するグループ１２０４のビンＡ内の発光素子１０２が、目標値１２０８から（グループ１２００のビンＤ内で）最も遠い色度値または座標を有する光を生成するグループ１２００のビンＤ内の発光素子１０２とペアリングされてもよい。目標値１２０８から（グループ１２０４のビンＡ内で）２番目に遠い色度値または座標を有する光を生成するグループ１２０４のビンＡ内の別の発光素子１０２が、目標値１２０８から（グループ１２００のビンＤ内で）２番目に遠い色度値または座標を有する光を生成するグループ１２００のビンＤ内の発光素子１０２とペアリングされてもよい。目標値１２０８から（グループ１２０４のビンＡ内で）３番目に遠い色度値または座標を有する光を生成するグループ１２０４のビンＡ内の別の発光素子１０２が、目標値１２０８から（グループ１２００のビンＤ内で）３番目に遠い色度値または座標を有する光を生成するグループ１２００のビンＤ内の発光素子１０２とペアリングされてもよく、以下、上述したものと同様に続く。上記のように、このプロセスは他のビンについても繰り返すことができる。
【００６０】
グループ１２０２に関して、発光素子１０２は、上述したのと同様の方法でペアリングされる（例えば、異なる光束グループを使用しない例）。例えば、目標値１２０８から（グループ１２０２のビンＡ内で）最も遠い色度値または座標を有する光を生成するグループ１２０２のビンＣ内の発光素子１０２が、目標値１２０８から（グループ１２０２のビンＤ内で）最も遠い色度値または座標を有する光を生成する同じグループ１２０２のビンＤ内の発光素子１０２とペアリングされてもよい。目標値１２０８から（グループ１２０２のビンＡ内で）２番目に遠い色度値または座標を有する光を生成するグループ１２０２のビンＡ内の別の発光素子１０２が、目標値１２０８から（グループ１２０２のビンＤ内で）２番目に遠い色度値または座標を有する光を生成する同じグループ１２０２のビンＤ内の発光素子１０２とペアリングされてもよく、以下同様である。
【００６１】
また上述のように、ペアリングされないままの発光素子１０２が少ないほど、グループ１２００、１２０２、１２０４のうちの１つまたは複数の中のビン１２０６の数が低減し得る。最終的に、ペアリングされていない発光素子１０２の光束は、（例えば、５％、１０％、２０％などの互いの指定された範囲内で）互いに十分に接近し得、残りの発光素子１０２をペアリングするために、すべてのペアリングされていない発光素子１０２は、単一の光束グループに含まれる。
【００６２】
図１１は、一実施形態による照明選択システム１１００の概略図を示す。システム１１００は、上述の方法２００、３００の１つまたは複数の実施形態を実行するために使用することができる。例えば、方法２００、３００に関連して説明した動作を使用して、特別にプログラムされたコンピューティングデバイスなどの１つまたは複数のコンピューティングデバイスの動作を制御するソフトウェアプログラマアルゴリズムを作成することができる。代替的に、方法２００、３００に関連して説明した動作は、システム１１００内のコンピューティングデバイスの動作を制御するソフトウェアプログラムを表すことができる。
【００６３】
システム１１００は、入力装置１１０４から入力を受け取る処理ユニット１１０２を含む。処理ユニット１１０２は、１つまたは複数のマイクロプロセッサ、集積回路、またはフィールドプログラマブルゲートアレイなどの、１つまたは複数のプロセッサを含む、および／またはそのような１つまたは複数のプロセッサに接続された、ハードウェア回路を表すことができる。処理ユニットは、方法２００、３００に関連して説明した動作を実行することができる。入力装置１１０４は、異なる照明装置１００に含まれるべき発光素子１０２のグループを決定する際に、処理ユニット１１０２によって使用される入力を受け取る１つまたは複数のハードウェアデバイスを表す。入力装置１１０４は、ディスクドライブ、ＵＳＢ接続、ケーブル接続、無線トランシーバ、キーボード、スタイラス、またはタッチスクリーンなどを表すことができる。入力装置は、上述した特性データ４００、１０００として発光素子の測定値を受け取ることができる。一態様では、入力装置１１０４は、光センサまたは分光計、電圧計などの、特性データを測定するセンサを表すことができる。
【００６４】
メモリ１１０６は、コンピュータハードドライブ、ランダムアクセスメモリ、またはリードオンリーメモリなどの１つまたは複数のコンピュータ可読媒体メディアを含むことができる。メモリ１１０６は、特性データ４００、１０００、発光素子１０２のペアリング、発光素子のペアに使用される色空間、または仮想ビンの数などを格納するために使用することができる。処理ユニット１１０２は、メモリ１１０６に通信された１つまたは複数の信号を生成して、メモリ１１０６に、どの発光素子１０２をペアリングまたはグループ化すべきかを格納するよう命令することができる。
【００６５】
出力装置１１０８は、システム１１００の出力を生成する１つまたは複数のハードウェア装置を表す。出力装置１１０８は、モニタ、もしくは他のディスプレイ、スピーカ、プリンタ、または送受信回路などを表すことができる。処理ユニット１１０２は、出力装置１１０８に通信される制御信号を生成して、出力装置１１０８を制御し、出力装置に発光素子のペアリングを表す出力を生成させることができる。例えば、処理ユニット１１０２は、出力装置１１０８に、システム１１００のユーザに色空間および特性データ４００、１０００、仮想ビンなどを示す表示を生成させるとともに、どの発光素子１０２を同一の照明装置１００で使用するために組み合わせるべきかを識別させるよう指示することができる。一実施形態では、処理ユニット１１０２は、システム１１００の外部の１つまたは複数のシステムと通信する出力装置１１０８への制御信号を生成する。例えば、出力装置１１０８は、異なる照明装置１００に含めるために発光素子を自動的にソートするシステムに制御信号を送信またはブロードキャストすることができる。出力装置１１０８によって生成された制御信号は、発光素子１０２を、異なる照明装置１００に含まれるべきペア、ペアのペア、または他のグループにグループ化するための自動化システムを構築する。
【００６６】
上述のように、本明細書に記載された照明選択システムおよび方法の１つまたは複数の実施形態は、異なる発光素子の個々の特性データを取得する。個々の発光素子の特性データと特性データの指定された目標値との差を使用することにより、本システムおよび方法は、異なる発光素子をペア、ペアのペア、またはより大きなグループにペアリングするか、または組み合わせる。グループ内の組み合わされた発光素子の特性データは、発光素子の他のペアまたは組み合わせより指定された目標値に近い。個々の、またはペアリングされた発光素子の特性データと目標値との差（例えば、差ベクトル）の大きさおよび方向が、同じ目標値に対して同じまたは同様であるが反対の差ベクトルを有する差と組み合わされるので、発光素子のペアまたはより大きなグループの組み合わせ出力は、同じ発光素子の他のグループまたは組み合わせよりも目標値に近い光を生成する。
【００６７】
一実施形態では、方法（例えば、照明装置に含めるために発光素子を選択するための方法）は、複数の発光素子のそれぞれに対する個々の特性データを取得するステップと、発光素子のそれぞれについて特性データの値と指定された目標値との差を判定するステップと、発光素子を、特性データの値と指定された目標値との差に基づいて、異なるグループにグループ化するステップとを含む。グループの共通のグループにおける発光素子の差は、グループの他のグループにおける発光素子の差よりも互いに近い。この方法はまた、照明装置に含めるために発光素子のグループの少なくとも１つを選択するステップを含む。
【００６８】
一態様では、特性データは、順方向電圧、発光素子によって放射される光の光束、または発光素子によって放射される光の色のうちの１つまたは複数を表す。
【００６９】
一態様では、発光素子を異なるグループにグループ化することは、反対の値を有する差を有する発光ダイオードのペアを識別し、同じグループ内のペアのそれぞれに発光ダイオードを含むことを含む。
【００７０】
一態様では、発光素子を異なるグループにグループ化することは、各グループについて、特性データの値と指定された目標値との差の第１の値を有する第１の発光素子を識別することと、第１の値の反対である差の第２の値を有する異なる第２の発光素子を識別することと、第１の発光素子と第２の発光素子とをグループ化することとを含む。
【００７１】
一態様では、特性データの値は、発光素子によって生成された光の色度座標を含む。発光素子のそれぞれについての差を判定することは、発光素子によって生成された光の色度座標から指定された目標色度座標までの距離を判定することを含むことができる。
【００７２】
一態様では、発光素子を異なるグループにグループ化することは、各グループについて、色度座標の第１のセットを有する第１の発光素子を識別すること（第１のベクトルが、指定された目標色度座標と第１のセット内の色度座標との間に伸びる）と、色度座標の第２のセットを有する異なる第２の発光素子を識別すること（第２のベクトルが、指定された目標色度座標と第２のセット内の色度座標との間に伸びる）と、第１のベクトルおよび反対方向を有する第２のベクトルに応じて、第１の発光素子と第２の発光素子とをグループ化することと、を含む。
【００７３】
一態様では、発光素子は、異なるグループにグループ化され、各グループ内の発光素子によって生成される合成光の色点は、発光素子の異なるグループよりもグループに対して指定された色点に近い。
【００７４】
一態様では、本方法はまた、発光素子のグループのそれぞれについてグループ特性データを取得するステップと、発光素子のグループのそれぞれについてのグループ特性データの値と指定された目標値との差を判定するステップと、グループ特性データの値と指定された目標値との差に基づいて、発光素子のグループを発光素子のより大きなグループにグループ化する（照明装置に含めるために発光素子のグループの少なくとも１つを選択するステップが、照明装置に含めるために発光素子のより大きなグループの少なくとも１つを選択するステップを含む）ステップと、を含む。
【００７５】
一態様では、発光素子は発光ダイオードである。
【００７６】
別の実施形態では、システム（例えば、照明選択システム）は、複数の発光素子のそれぞれについて個々の特性データを取得し、発光素子のそれぞれについて特性データの値と指定された目標値との差を判定するよう構成される１つまたは複数のプロセッサを含む。１つまたは複数のプロセッサはまた、特性データの値と指定された目標値との差に基づいて、発光素子の異なるグループを決定するよう構成される。グループの共通のグループにおける発光素子の差は、グループの他のグループにおける発光素子の差よりも互いに近い。
【００７７】
一態様では、１つまたは複数のプロセッサは、照明装置に含めるための発光素子のグループのうちの少なくとも１つの選択を表す出力信号を生成するよう構成される。
【００７８】
一態様では、特性データは、順方向電圧、発光素子によって放射される光の光束、または発光素子によって放射される光の色のうちの１つまたは複数を表す。
【００７９】
一態様では、１つまたは複数のプロセッサは、反対の値を有する差を有する発光ダイオードのペアを識別し、同じグループ内のペアのそれぞれに発光ダイオードを含むことによって、発光素子のグループを決定するよう構成される。
【００８０】
１つの態様では、１つまたは複数のプロセッサは、グループのそれぞれについて特性データの値と指定された目標値との差の第１の値を有する第１の発光素子を識別し、グループのそれぞれについて第１の値の反対である差の第２の値を有する異なる第２の発光素子を識別し、第１の発光素子と第２の発光素子とを同じグループ内で関連付けることによって、発光素子のグループを決定するよう構成される。
【００８１】
一態様では、特性データの値は、発光素子によって生成された光の色度座標を含む。１つまたは複数のプロセッサは、発光素子によって生成された光の色度座標から指定された目標色度座標までの距離を判定することによって、発光素子のそれぞれについての差を判定するよう構成することができる。
【００８２】
一態様では、１つまたは複数のプロセッサは、グループのそれぞれについて、色度座標の第１のセットを有する第１の発光素子を識別し（第１のベクトルが、指定された目標色度座標と第１のセット内の色度座標との間に伸びる）、グループのそれぞれについて、色度座標の第２のセットを有する異なる第２の発光素子を識別し（第２のベクトルが、指定された目標色度座標と第２のセット内の色度座標との間に伸びる）、グループのそれぞれについて、第１のベクトルおよび反対方向を有する第２のベクトルに応じて、第１の発光素子と第２の発光素子とをグループ化することによって、異なるグループを決定するよう構成される。
【００８３】
一態様では、１つまたは複数のプロセッサは、発光素子を、異なるグループに関連付けるよう構成され、各グループ内の発光素子によって生成される合成光の色点は、発光素子の異なるグループよりもグループに対して指定された色点に近い。
【００８４】
一態様では、１つまたは複数のプロセッサは、発光素子のグループのそれぞれについてグループ特性データを取得し、発光素子のグループのそれぞれについてグループ特性データの値と指定された目標値との差を判定し、グループ特性データの値と指定された目標値との差に基づいて発光素子のより大きなグループに発光素子のグループを関連付けるよう構成される。
【００８５】
一態様では、発光素子は発光ダイオードである。
【００８６】
別の実施形態では、方法（例えば、発光素子を選択するための方法）は、複数の発光ダイオードのそれぞれによって生成される光の色度座標を判定するステップと、発光ダイオードのそれぞれについて色度座標と指定された目標色の指定された色度座標との差を判定するステップと、差に基づいて発光ダイオードをペアにグループ化するステップと（各ペアは、他の発光ダイオードよりも互いに大きさが近いが方向が反対である、色度座標から指定された色度座標まで延びるベクトルを有する発光ダイオードを含む）、照明装置に含めるために発光素子のペアの少なくとも１つを選択するステップとを含む。
【００８７】
一態様では、本方法はまた、色度座標に基づいて発光ダイオードを色空間の異なる放射状グループに分割するステップも含み、発光ダイオードをグループ化するステップが、放射状グループのそれぞれについて、放射状グループ内の第１の発光ダイオードを、反対側の放射状グループ内の異なる第２の発光ダイオードとペアリングするステップを含み、色度座標と第１および第２の発光ダイオードの指定された色度座標との差が、放射状グループおよび反対側の放射状グループ内の他の発光ダイオードより近い。
【００８８】
一態様では、本方法は、発光ダイオードのペアをペアのそれぞれ内の発光ダイオードによって生成される合成光の色度座標に基づいて色空間内でペアリングされた放射状グループに分割するステップと、ペアリングされた放射状グループのそれぞれについて、ペアリングされた放射状グループ内の発光ダイオードの第１のペアを反対側のペアリングされた放射状グループ内の発光ダイオードの異なる第２のペアとペアリングすることによって、発光ダイオードのペアのより大きなグループに発光ダイオードのペアを組み合わせるステップとを含み、第１および第２のペアのそれぞれ内の発光ダイオードによって生成される合成光の色度座標と指定された色度座標との差が、ペアリングされた放射状グループおよび反対側のペアリングされた放射状グループ内の発光ダイオードの他のペアよりも近い。
【００８９】
本発明の主題の特定の実施形態についての前述の説明は、添付の図面と併せて読むことにより、よりよく理解されるであろう。種々の実施形態は、図面に示す配置および手段に限定されない。上記の説明は例示であり、限定的ではない。例えば、上で説明した実施形態（および／またはそれらの態様）を互いに組み合わせて用いてもよい。さらに、本発明の本質的な範囲を逸脱することなく特定の状況または材料を本発明の主題の教示に適応させるために、多くの修正を加えてもよい。本明細書に記載される材料の寸法およびタイプは、本発明の主題の要因を定義することを意図しているが、決して限定的ではなく例示的な実施形態である。他の実施形態は、上記の説明を検討することにより当業者に明らかとなってもよい。したがって、本発明の主題の範囲は、添付の請求項を参照して、そのような請求項が権利を与えられる均等物の全範囲とともに決定されるべきである。
【００９０】
添付の請求項において、用語「含む（ｉｎｃｌｕｄｉｎｇ）」および「それには（ｉｎ  ｗｈｉｃｈ）」を用語「備える（ｃｏｍｐｒｉｓｉｎｇ）」および「そこでは（ｗｈｅｒｅｉｎ）」のそれぞれの平易な英語の同義語として用いている。さらに、以下の請求項において、「第１」、「第２」および「第３」などの用語は単に符号として使用され、それらの対象物に数値的な要件を課すことを意図しない。さらに、以下の請求項の限定事項は、そのような請求項の限定事項が「…のための手段（ｍｅａｎｓ  ｆｏｒ）」という語句をさらなる構造への言及を欠く機能の記述と一緒に明示的に使用していない限り、ミーンズプラスファンクション（ｍｅａｎｓ−ｐｌｕｓ−ｆｕｎｃｔｉｏｎ）形式での記載ではなく、米国特許法第１１２条（ｆ）に基づく解釈を意図していない。本明細書で使用するように、単数形で記載され、単語「１つの（ａ）」または「１つの（ａｎ）」の後に続く要素またはステップは、複数の上記要素またはステップを除外しないものとして理解されるべきであるが、そのような除外が明示的に述べられている場合は除く。さらに、本発明の主題の「一実施形態」への言及は、列挙された特徴をも組み込む追加の実施形態の存在を排除するものとして解釈されることを意図していない。さらに、明示的な反対の記載がない限り、特定の特性を有する要素または複数の要素を「備える（ｃｏｍｐｒｉｓｉｎｇ）」、「含む（ｉｎｃｌｕｄｉｎｇ）」または「有する（ｈａｖｉｎｇ）」実施形態は、その特性を有さない追加の要素を含んでもよい。
【００９１】
この明細書は、本発明の主題のいくつかの実施形態を開示するために、また、任意の装置またはシステムを作製および使用し、任意の組み込まれた方法を実行することを含む、本発明の実施を当業者に可能にするように、例を使用している。本発明の主題の特許され得る範囲は、特許請求の範囲によって定義され、当業者が想到する他の例を含むことができる。このような他の例が特許請求の範囲の字義通りの文言と異ならない構造要素を有する場合、または、それらが特許請求の範囲の字義通りの文言と実質的な差がない均等な構造要素を含む場合には、このような他の例は特許請求の範囲内であることを意図している。
［実施態様１］
方法であって、
複数の発光素子（１０２）のそれぞれについて個々の特性データ（４００）を取得するステップと、
前記発光素子（１０２）のそれぞれについて前記特性データ（４００）の値と指定された目標値との差を判定するステップと、
前記発光素子（１０２）を、前記特性データ（４００）の前記値と前記指定された目標値との前記差に基づいて異なるグループにグループ化するステップであって、前記グループの共通グループ内の前記発光素子（１０２）の前記差が、前記グループの他のグループ内の前記発光素子（１０２）の前記差より近い、ステップと、
照明装置（１００）に含めるために前記発光素子（１０２）の前記グループの少なくとも１つを選択するステップと、
を備える、方法。
［実施態様２］
前記特性データ（４００）は、前記発光素子（１０２）によって放射される光の光束を表す、実施態様１に記載の方法。
［実施態様３］
前記特性データ（４００）は、前記発光素子（１０２）によって放射される光の色を表す、実施態様１に記載の方法。
［実施態様４］
前記発光素子（１０２）を前記異なるグループにグループ化するステップが、反対の値を有する前記差を有する前記発光素子（１０２）のペアを識別するステップと、同じグループ内の前記ペアのそれぞれに前記発光素子（１０２）を含むステップとを含む、実施態様１に記載の方法。
［実施態様５］
前記発光素子（１０２）を異なるグループにグループ化するステップが、前記グループのそれぞれについて、
前記特性データ（４００）の前記値と前記指定された目標値との前記差の第１の値を有する第１の発光素子（１０２）を識別するステップと、
前記第１の値の反対である前記差の第２の値を有する異なる第２の発光素子（１０２）を識別するステップと、
前記第１の発光素子（１０２）と前記第２の発光素子（１０２）とをグループ化するステップと
を含む、実施態様４に記載の方法。
［実施態様６］
前記特性データ（４００）の前記値が、前記発光素子（１０２）によって生成された光の色度座標を含み、前記発光素子（１０２）のそれぞれに対する前記差を判定するステップが、前記発光素子（１０２）によって生成された前記光に対する前記色度座標から、指定された目標色度座標への距離を判定するステップを含む、実施態様１に記載の方法。
［実施態様７］
前記発光素子（１０２）を異なるグループにグループ化するステップが、前記グループのそれぞれについて、
色度座標の第１のセットを有する第１の発光素子（１０２）を識別するステップであって、第１のベクトルが、前記指定された目標色度座標と前記第１のセット内の前記色度座標との間に伸びる、ステップと、
前記色度座標の第２のセットを有する異なる第２の発光素子（１０２）を識別するステップであって、第２のベクトルが、前記指定された目標色度座標と前記第２のセット内の前記色度座標との間に伸びる、ステップと、前記第１のベクトルおよび反対方向を有する前記第２のベクトルに応じて、前記第１の発光素子（１０２）と前記第２の発光素子（１０２）とをグループ化するステップと、
を含む、実施態様６に記載の方法。
［実施態様８］
前記発光素子（１０２）が、前記異なるグループにグループ化され、各グループ内の前記発光素子（１０２）によって生成される合成光の色点が、前記発光素子（１０２）の異なるグループよりも前記グループに対して指定された色点に近い、実施態様１に記載の方法。
［実施態様９］
前記発光素子（１０２）の前記グループのそれぞれについてグループ特性データ（１０００）を取得するステップと、
前記発光素子（１０２）の前記グループのそれぞれについての前記グループ特性データ（１０００）の値と前記指定された目標値との差を判定するステップと、
前記グループ特性データ（１０００）の前記値と前記指定された目標値との前記差に基づいて、前記発光素子（１０２）の前記グループを前記発光素子（１０２）のより大きなグループにグループ化するステップであって、前記照明装置（１００）に含めるために前記発光素子（１０２）の前記グループの前記少なくとも１つを選択するステップが、前記照明装置（１００）に含めるために前記発光素子（１０２）の前記より大きなグループの少なくとも１つを選択するステップを含む、ステップと、
をさらに備える、実施態様１に記載の方法。
［実施態様１０］
前記発光素子（１０２）が、発光ダイオード（１０２）である、実施態様１に記載の方法。
［実施態様１１］
システムであって、
複数の発光素子（１０２）のそれぞれについて個々の特性データ（４００）を取得し、前記発光素子（１０２）のそれぞれに対する前記特性データ（４００）の値と指定された目標値との差を判定するよう構成される、１つまたは複数のプロセッサを備え、前記１つまたは複数のプロセッサがまた、前記特性データ（４００）の前記値と前記指定された目標値との前記差に基づいて前記発光素子（１０２）の異なるグループを決定するよう構成され、前記グループの共通グループ内の前記発光素子（１０２）の前記差が、前記グループの他のグループ内の前記発光素子（１０２）の前記差より近い、
システム。
［実施態様１２］
前記１つまたは複数のプロセッサが、照明装置（１００）に含めるための前記発光素子（１０２）の前記グループのうちの少なくとも１つの選択を表す出力信号を生成するよう構成される、実施態様１１に記載のシステム。
［実施態様１３］
前記特性データ（４００）は、前記発光素子（１０２）によって放射される光の光束を表す、実施態様１１に記載のシステム。
［実施態様１４］
前記特性データ（４００）は、前記発光素子（１０２）によって放射される光の色を表す、実施態様１１に記載のシステム。
［実施態様１５］
前記１つまたは複数のプロセッサが、反対の値を有する前記差を有する前記発光素子（１０２）のペアを識別し、同じグループ内の前記ペアのそれぞれに前記発光素子（１０２）を含むことによって、前記発光素子（１０２）の前記グループを決定するよう構成される、実施態様１１に記載のシステム。
［実施態様１６］
前記特性データ（４００）の前記値が前記発光素子（１０２）によって生成される光の色度座標を含み、前記１つまたは複数のプロセッサが、前記発光素子（１０２）によって生成された前記光の前記色度座標から指定された目標色度座標までの距離を判定することによって、前記発光素子（１０２）のそれぞれについての前記差を判定するよう構成される、実施態様１１に記載のシステム。
［実施態様１７］
前記１つまたは複数のプロセッサが、前記発光素子（１０２）を、前記異なるグループに関連付けるよう構成され、各グループ内の前記発光素子（１０２）によって生成される合成光の色点が、前記発光素子（１０２）の異なるグループよりも前記グループに対して指定された色点に近い、実施態様１１に記載のシステム。
［実施態様１８］
前記１つまたは複数のプロセッサが、前記発光素子（１０２）の前記グループのそれぞれについてグループ特性データ（１０００）を取得し、前記発光素子（１０２）の前記グループのそれぞれについて前記グループ特性データ（１０００）の値と前記指定された目標値との差を判定し、前記グループ特性データ（１０００）の前記値と前記指定された目標値との前記差に基づいて前記発光素子（１０２）のより大きなグループに前記発光素子（１０２）の前記グループを関連付けるよう構成される、実施態様１１に記載のシステム。
［実施態様１９］
方法であって、
複数の発光素子（１０２）の各々によって生成される光の色度座標および光束を判定するステップと、
前記発光素子（１０２）の各々について前記色度座標と指定された目標色の指定された色度座標との間の色度差を判定するステップと、
前記発光素子（１０２）の各々について前記光束と指定された光束との間の光束差を判定するステップと、
前記色度差および前記光束差に基づいて前記発光素子（１０２）をペアにグループ化するステップであって、各ペアは、他の発光素子（１０２）よりも互いに大きさが近いが方向が反対である、前記色度座標から前記指定された色度座標まで延伸するベクトルを有する前記発光素子を含む、グループ化するステップと、
照明装置に含めるために前記発光素子の前記ペアの少なくとも１つを選択するステップと
を含む、方法。
［実施態様２０］
前記色度座標に基づいて前記発光素子（１０２）を色空間の異なる放射状グループに分割するステップをさらに含み、
前記発光素子（１０２）をグループ化するステップが、前記放射状グループの各々について、前記放射状グループ内の第１の発光素子（１０２）を、反対側の放射状グループ内の異なる第２の発光素子（１０２）とペアリングするステップを含み、前記色度座標と前記第１および第２の発光素子（１０２）の前記指定された色度座標との前記差が、前記放射状グループおよび前記反対側の放射状グループ内の他の発光素子（１０２）より近い、実施態様１９に記載の方法。
【符号の説明】
【００９２】
１００  照明装置
１０２  発光素子
２００  方法
３００  方法
４００  特性データ
４０２  水平軸
４０４  垂直軸
４０６  仮想ビン
４０８  差ベクトル
４１０  差ベクトル
５０６  ビン
６０６  仮想ビン
７０６  仮想ビン
８０６  仮想ビン
９０６  仮想ビン
１０００  特性データ
１００６  仮想ビン
１１００  照明選択システム
１１０２  処理ユニット
１１０４  入力装置
１１０６  メモリ
１１０８  出力装置
１２００  光束グループ
１２０２  光束グループ
１２０４  光束グループ
１２０６  仮想ビン
１２０８  目標色度または色値
【図１】
2019537190.tif 000004
【図２】
2019537190.tif 000005
【図３】
2019537190.tif 000006
【図４】
2019537190.tif 000007
【図５】
2019537190.tif 000008
【図６】
2019537190.tif 000009
【図７】
2019537190.tif 000010
【図８】
2019537190.tif 000011
【図９】
2019537190.tif 000012
【図１０】
2019537190.tif 000013
【図１１】
2019537190.tif 000014
【図１２】
2019537190.tif 000015
【国際調査報告】
2019537190.tif 000016
2019537190.tif 000017
2019537190.tif 000018